【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
表示データを受け取る入力を有するフラット・パネル・ディスプレイと、
前記ディスプレイに結合された可動アセンブリであって、前記可動アセンブリは、前記フラット・パネル・ディスプレイ・デバイスの移動の少なくとも３つの自由度を提供し、前記フラット・パネル・ディスプレイのディスプレイ構造の断面積より実質的に小さい断面積を有し、前記可動アセンブリが、複数の積み重ねられたボールアンドソケット・アセンブリを含む、可動アセンブリと
を含むコンピュータ制御されるディスプレイ・デバイス。
【請求項２】
表示データを受け取る入力を有するフラット・パネル・ディスプレイ・デバイスと、
前記ディスプレイに結合された可動アセンブリであって、前記可動アセンブリが前記フラット・パネル・ディスプレイ・デバイスの移動の少なくとも３つの自由度を提供し、前記フラット・パネル・ディスプレイのディスプレイ構造の断面積より実質的に小さい断面積を有し、前記可動アセンブリが複数の積み重ねられたボールアンドソケット・アセンブリを含む可動アセンブリと、
前記可動アセンブリ内に配置され、前記可動アセンブリの端に機能的に結合された引張りデバイスであって、前記引張りデバイスは、力（たとえば引張り）が前記引張りデバイスに印加される時に前記可動アセンブリの移動を停止し、前記力が弱められる時に前記移動を許可する引張りデバイスと
を含むコンピュータ制御されるディスプレイ・デバイス。
【請求項３】
表示データを受け取る入力を有するフラット・パネル・ディスプレイと、
前記ディスプレイに結合された可動アセンブリであって、前記可動アセンブリは、前記フラット・パネル・ディスプレイ・デバイスの移動の少なくとも３つの自由度を提供し、前記フラット・パネル・ディスプレイのディスプレイ構造の断面積より実質的に小さい断面積を有する可動アセンブリと、
前記可動アセンブリと前記フラット・パネル・ディスプレイの位置決めをサポートするために前記可動アセンブリに結合された可動基部と
を含むコンピュータ制御されるディスプレイ・デバイス。
【請求項４】
表示データを受け取る入力を有するフラット・パネル・ディスプレイ・デバイスと、
前記ディスプレイに結合された可動アセンブリであって、前記可動アセンブリは、前記フラット・パネル・ディスプレイ・デバイスの移動の少なくとも３つの自由度を提供し、前記フラット・パネル・ディスプレイのディスプレイ構造の断面積より実質的に小さい断面積を有する可動アセンブリと、
前記フラット・パネル・ディスプレイに結合されたアクチュエータ・アセンブリであって、そのアクチュエータは、第１位置と第２位置との間で可動であり、前記第１位置を占める時に前記引張りデバイスに力を印加し、前記第２位置を占める時に前記力を弱めるために機能的に前記引張りデバイスに結合される、アクチュエータ・アセンブリと
を含むコンピュータ制御されるディスプレイ・デバイス。
【請求項５】
表示データを受け取る入力を有するフラット・パネル・ディスプレイと、
前記ディスプレイに結合された可動アセンブリであって、前記可動アセンブリは、前記フラット・パネル・ディスプレイ・デバイスの移動の少なくとも３つの自由度を提供し、前記フラット・パネル・ディスプレイのディスプレイ構造の断面積より実質的に小さい断面積を有する可動アセンブリと、
表示データを供給するケーブルであって、前記ケーブルが、前記可動アセンブリ内に配置され、前記ケーブルの第１端が前記フラット・パネル・ディスプレイの前記入力に機能的に結合され、前記ケーブルの第２端がコンピュータ・システムに機能的に結合されるケーブルと
を含むコンピュータ制御されるディスプレイ・デバイス。
【請求項６】
表示データを受け取る入力を有するフラット・パネル・ディスプレイと、
前記ディスプレイに結合された可動アセンブリであって、前記可動アセンブリは、前記フラット・パネル・ディスプレイ・デバイスの移動の少なくとも３つの自由度を提供し、前記フラット・パネル・ディスプレイのディスプレイ構造の断面積より実質的に小さい断面積を有する可動アセンブリと、
前記可動アセンブリ内に配置されたケーブルが動作不能にされないようにするために前記可動アセンブリ内に配置されるアンチねじりデバイスと
を含むコンピュータ制御されるディスプレイ・デバイス。
【請求項７】
表示データを受け取る入力を有するフラット・パネル・ディスプレイと、
前記ディスプレイに結合された可動アセンブリであって、前記可動アセンブリは、前記フラット・パネル・ディスプレイ・デバイスの移動の少なくとも３つの自由度を提供し、前記フラット・パネル・ディスプレイのディスプレイ構造の断面積より実質的に小さい断面積を有する可動アセンブリと、
表示データを供給するケーブルであって、前記ケーブルが、前記可動アセンブリ内に配置され、前記ケーブルの第１端が前記フラット・パネル・ディスプレイの前記入力に機能的に結合され、前記ケーブルの第２端がコンピュータ・システムに機能的に結合されるケーブルと、
前記可動アセンブリ内に配置され、前記可動アセンブリの端に機能的に結合された引張りデバイスであって、前記引張りデバイスは、力が前記引張りデバイスに印加される時に前記可動アセンブリの移動を停止し、前記力が弱められる時に前記移動を許可する引張りデバイスと、
前記ケーブルが動作不能にされないようにするために前記可動アセンブリ内に配置されるアンチねじりデバイスと、
前記フラット・パネル・ディスプレイに結合されたアクチュエータ・アセンブリであって、そのアクチュエータは、第１位置と第２位置との間で可動であり、前記第１位置を占める時に前記引張りデバイスに力を印加し、前記第２位置を占める時に前記力を弱めるために機能的に前記引張りデバイスに結合されるアクチュエータ・アセンブリと
を含むコンピュータ制御されるディスプレイ・デバイス。
【請求項８】
表示面と前記表示面に表示される表示データを受け取る入力を有するフラット・パネル・ディスプレイと、
前記フラット・パネル・ディスプレイに機械的に結合された可動アセンブリであって、前記可動アセンブリが、前記表示面の面積より実質的に小さい断面積を有し、前記可動アセンブリが、前記フラット・パネル・ディスプレイを前記コンピュータ制御されるディスプレイ・システムのユーザに関して空間内で選択的に位置決めできるようにするために可動である可動アセンブリと、
前記可動アセンブリに機械的に結合され、前記可動アセンブリを介して前記フラット・パネル・ディスプレイに機械的に結合された基部であって、前記基部が、マイクロプロセッサ、メモリ、バス、Ｉ／Ｏ（入出力）コントローラ、Ｉ／Ｏポートを含むコンピュータ構成要素を収納し、前記マイクロプロセッサが前記フラット・パネル・ディスプレイの前記入力に結合される、基部と
を含むコンピュータ制御されるディスプレイ・システム。
【請求項９】
フラット・パネル・ディスプレイに機械的に取り付けられた第１端と可動基部に取り付けられた第２端を有し、複数の可動部分を有する可動アセンブリの縦の内部を通って延びる引張りケーブルに第１ポテンシャル・エネルギをたくわえること、
圧縮可能であり、前記複数の可動部分に結合される、前記複数の可動部分に対応する複数の弾性部材に第２ポテンシャル・エネルギをたくわえること、
前記第１ポテンシャル・エネルギの一部と前記第２のたくわえられたポテンシャル・エネルギの一部を印加される機械的仕事と組み合わせることと、
前記たくわえられたエネルギと仕事の一部を弾性ポテンシャル・エネルギに変換することと、
力ジェネレータが第１状態の時に前記可動アセンブリを堅いモードに維持し、第２状態の時に前記可動アセンブリを可動にできるように、前記弾性ポテンシャル・エネルギを力ジェネレータにたくわえること、
を含む方法。
【請求項１０】
力ジェネレータにたくわえられた弾性ポテンシャル・エネルギの一部を第１ポテンシャル・エネルギと第２ポテンシャル・エネルギに転送することであって、前記力ジェネレータが、前記力ジェネレータが第１状態の時に前記可動アセンブリを堅いモードに維持し、前記力ジェネレータが第２状態の時に前記可動アセンブリを可動にできるようにする、転送することと、
前記第１ポテンシャル・エネルギを、引張りケーブルにたくわえることであって、前記引張りケーブルが、可動アセンブリの縦の内部を通って延び、フラット・パネル・ディスプレイに機械的に取り付けられた第１端と、可動基部に取り付けられた第２端とを有し、前記可動アセンブリが、複数の可動部分を有する、たくわえることと、
前記第２ポテンシャル・エネルギを、前記複数の可動部分に対応する複数の弾性部材にたくわえることであって、前記弾性部材が、圧縮可能であり、前記複数の可動部分に結合される、たくわえることと
を含む方法。
【請求項１１】
表示面と前記表示面に表示される表示データを受け取る入力を有するフラット・パネル・ディスプレイと、
前記フラット・パネル・ディスプレイに機械的に結合された可動アセンブリであって、前記可動アセンブリが、前記表示面の面積より実質的に小さい断面積を有し、前記可動アセンブリが、前記フラット・パネル・ディスプレイを前記コンピュータ制御されるディスプレイ・システムのユーザに関して空間内で選択的に位置決めできるようにするために可動である可動アセンブリと、
前記可動アセンブリに機械的に結合され、前記可動アセンブリを介して前記フラット・パネル・ディスプレイに機械的に結合された基部であって、前記基部が、マイクロプロセッサ、メモリ、バス、Ｉ／Ｏ（入出力）コントローラ、Ｉ／Ｏポートを含むコンピュータ構成要素を収納し、前記マイクロプロセッサが前記フラット・パネル・ディスプレイの前記入力に結合される基部と、
前記可動アセンブリに結合され、エネルギをたくわえるホルダ・デバイスと、
前記ホルダ・デバイスに結合され、前記可動アセンブリの移動を可能にするために前記可動アセンブリの状態を変更するためのものであって、前記ホルダ・デバイスにたくわえられた前記エネルギによって状態の前記変更を支援されるアクチュエータと、
を含むコンピュータ制御されるディスプレイ・システム。
【請求項１２】
表示面と前記表示面に表示される表示データを受け取る入力を有するフラット・パネル・ディスプレイと、
前記フラット・パネル・ディスプレイに機械的に結合された可動アセンブリであって、前記可動アセンブリが、前記表示面の面積より実質的に小さい断面積を有し、前記可動アセンブリが、前記フラット・パネル・ディスプレイを前記コンピュータ制御されるディスプレイ・システムのユーザに関して空間内で選択的に位置決めできるようにするために可動である可動アセンブリと、
前記可動アセンブリに機械的に結合され、前記可動アセンブリを介して前記フラット・パネル・ディスプレイに機械的に結合された基部であって、前記基部が、マイクロプロセッサ、メモリ、バス、Ｉ／Ｏ（入出力）コントローラ、Ｉ／Ｏポートを含むコンピュータ構成要素を収納し、前記マイクロプロセッサが、前記フラット・パネル・ディスプレイの前記入力に結合される基部と、
前記可動アセンブリ内に収納された平衡ばねアセンブリであって、前記ばねアセンブリが、ディスプレイ取付けアセンブリのビスケットに結合された近位端と基部回転アセンブリのビスケットに結合された遠位端を有する平衡ばねアセンブリと
を含むコンピュータ制御されるディスプレイ・システム。